【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
建築物構築方法であって、
略垂直支持構造体を規定するように、一連の垂直向き支柱を離間して建てるステップと、
床に対して略水平支持構造体を規定するように、前記支柱に一連の水平向き支持梁を離間して接続するステップと、
複数の組み立て式の構造用パネルを設けるステップであって、前記構造用パネルのそれぞれは、前記建築構造体の選択された階層に前記構造用パネルをクレーンで吊り上げやすいように、前記構造用パネルの正面から背面へ前記構造用パネルを貫通して延伸する少なくとも１つの吊り上げ孔を含む、ステップと、
一対の吊り上げ形成物の一方が各前記構造用パネルの正面からアクセス可能であり、前記一対の吊り上げ形成物の他方が各前記構造用パネルの背面からアクセス可能であり、および前記一対の吊り上げ形成物が、前記それぞれの吊り上げ孔の各々を貫通して延伸する負荷支持接続要素によって直接的に相互接続されるように、前記一対の吊り上げ形成物を組み込んだ吊り上げ取り付け具を前記構造用パネルのそれぞれに取り外し可能に固定するステップと、
前記吊り上げ形成物のそれぞれの間に延伸するように配置された少なくとも１つの中間リンク要素によって、連なりの前記構造用パネルの２つ以上を取り外し可能に相互接続するステップと、
前記連なりの前記相互接続された構造用パネルを要求された高さまで実質的に同時に揚重することで、前記構造用パネルは、揚重動作中に前記リンク要素によって垂直方向に離間して支持され、各前記構造用パネルは、吊り上げ動作中に前記連なりにある上側パネルおよび／または下側パネルに直接的に接続される、揚重ステップと、
前記建築物の構造床部分または構造壁部分を形成するように、前記水平または垂直支持構造体に前記構造用パネルを実質的に連続に並べて配置するステップと、
を含む建築物構築方法。
【請求項２】
前記構造用パネルは、比較的軽量の低密度コンクリート材料から形成される、請求項１に記載の建築物構築方法。
【請求項３】
前記構造用パネルは、オートクレーブ養生気泡コンクリート（ＡＡＣ）材料から実質的に形成される、請求項１または２に記載の建築物構築方法。
【請求項４】
前記構造用パネルは、複数の内部補強要素を含み、前記内部補強要素のうちの少なくともいくつかは、略ね長手方向に延伸する、請求項１から３のいずれか一項に記載の建築物構築方法。
【請求項５】
隣り合う構造用パネル対のそれぞれの隣接するエッジ間に規定されたそれぞれの隙間空間に、適合性のあるセメント質材料を充填することで、前記構造床上に実質的に連続した上面を形成するステップをさらに含む、請求項１から４のいずれか一項に記載の建築物構築方法。
【請求項６】
前記建築物は、多層建築物であり、前記垂直支持構造体は、地面上方の複数階にわたって延伸する、請求項１から５のいずれか一項に記載の建築物構築方法。
【請求項７】
前記支柱は、少なくとも主に鋼部分から形成され、前記方法は、ボルト締め、ブラケットまたは溶接によって前記鋼部分を固定するステップを含む、請求項１から６のいずれか一項に記載の建築物構築方法。
【請求項８】
前記支持構造体の部品として現場で設置するように適応された組み立て式の構造用サブアセンブリを形成するように、複数の前記鋼部分を現場外で固定するステップを含む、請求項７に記載の建築物構築方法。
【請求項９】
前記構造用パネルは、略矩形状に形成され、前記水平支持梁は、支持されるべき前記構造用パネルの向き、サイズおよび強度と相補的である向きおよび間隔で、離間して略ね平行に設置される、請求項１から８のいずれか一項に記載の建築物構築方法。
【請求項１０】
前記構造用パネルは、相補的または部分的に相補的なエッジ側面形状をもつように形成される、請求項１から９のいずれか一項に記載の建築物構築方法。
【請求項１１】
前記構造用パネルの隣接する対の前記隣り合うエッジ側面形状は、当接係合して各々の溝を規定するようになっていて、前記溝のそれぞれは、対応する対の隣り合う構造用パネル間で長手方向に延伸する、請求項１０に記載の建築物構築方法。
【請求項１２】
前記溝は、略ねＶ字状または略ねＵ字状の形状で上向きに広がっていく、請求項１１に記載の建築物構築方法。
【請求項１３】
前記溝のそれぞれに細長い鉄筋を長手方向に配置し、続いて前記溝にセメント質材料を充填することで、中間接合部を補強するとともに、前記隣り合う構造用パネル間に延伸する実質的に連続した上面を形成するステップをさらに含む、請求項１１または１２に記載の建築物構築方法。
【請求項１４】
前記構造用パネルを前記支持梁に現場で固定するステップをさらに含む、請求項１から１３のいずれか一項に記載の建築物構築方法。
【請求項１５】
前記構造支柱の２つ以上の間に延伸する、または前記構造支柱の２つ以上に隣接して延伸する１つ以上の壁部分を形成するように、略ね垂直向きに複数の前記構造用パネルを実質的に連続してエッジ同士を隣り合わせて配置するステップをさらに含む、請求項１から１４のいずれか一項に記載の建築物構築方法。
【請求項１６】
前記床部分または壁部分の露出面に、封止材、被膜材または被覆材の少なくとも１つの層を適用するステップをさらに含む、請求項１から１５のいずれか一項に記載の建築物構築方法。
【請求項１７】
前記吊り上げ形成物のそれぞれは、吊り上げアイを含み、各負荷支持接続要素は、軸部を含み、前記軸部は、設置状態において、前記構造用パネルの前記吊り上げ孔を貫通して延伸することで、前記対応する吊り上げアイに接続されるようになっている、請求項１から１６のいずれか一項に記載の建築物構築方法。
【請求項１８】
各吊り上げ取り付け具は、一体成形吊り上げアイ付きのヘッドを有するアイボルトと、一体成形吊り上げアイを組み込んだ相補的なアイナットとを含み、前記アイボルトの軸部が、使用時において、前記構造用パネルの反対側にある前記アイナットと取り外し可能に係合するために、前記構造用パネルにある前記吊り上げ孔を貫通して延伸するようになっている、請求項１７に記載の建築物構築方法。
【請求項１９】
前記吊り上げ取り付け具は、前記アイボルトの前記軸部を収容するように適応された取り付け孔が設けられたベースプレートをさらに含み、前記ベースプレートは、前記アイボルトまたは前記アイナットのいずれかと、前記関連する構造用パネルの外面と、の間に配置され、これにより、前記構造用パネルの前記吊り上げ孔の周りにおける負荷の分散および応力集中の抑制を図るようになっている、請求項１８に記載の建築物構築方法。
【請求項２０】
複数の前記構造用パネルはそれぞれ、単一の中心配置吊り上げ孔を含む、請求項１から１９のいずれか一項に記載の建築物構築方法。
【請求項２１】
前記構造用パネルの少なくとも１つは、前記構造用パネルの中心線に沿ってまたは中心線に対して略ね対称に離間して配置された一対の前記吊り上げ孔を含み、前記吊り上げ孔のそれぞれは、前記吊り上げ取り付け具のそれぞれの１つを取り外し可能に受けるようになっている、請求項１から２０のいずれか一項に記載の建築物構築方法。
【請求項２２】
請求項１から２１のいずれか一項に記載の建築物構築方法により実質的に形成された建築構造体であって、
略垂直支持構造体を規定するように離間して配置された一連の垂直向き支柱と、
床に対する略水平支持構造体を規定するように、離間して前記支柱に接続された一連の水平向き支持梁と、
構造床を形成するように、前記水平支持構造体に連続に並べて配置された複数の組み立て式の構造用パネルとを含み、前記構造用パネルのそれぞれは、吊り上げ取り付け具を取り外し可能に受けるようになるように、前記構造用パネルの正面から背面へ延伸する少なくとも１つの吊り上げ孔を含み、前記吊り上げ取り付け具は、少なくとも１つの吊り上げ形成物と、前記吊り上げ孔のそれぞれを貫通して延伸する負荷支持接続要素とを有する、建築構造体。
【請求項２３】
請求項１から２２のいずれか一項に記載の方法または建築構造体での使用に適応された組み立て式の構造建築用パネルであって、
前記構造用パネルは、建築構造体の支持フレーム要素間に構造床または構造壁を形成するために、複数の同様のパネルで連続に並べて支持されるようになっていて、
各構造用パネルは、一方の面から反対の面まで前記構造用パネルを貫通して延伸する予め形成された少なくとも１つの吊り上げ孔を含み、
前記吊り上げ孔または各吊り上げ孔は、一対の吊り上げ形成物の一方が一方の面からアクセス可能であり、前記一対の吊り上げ形成物の他方が反対側の面からアクセス可能であり、その上前記一対の吊り上げ形成物は、前記吊り上げ孔のそれぞれを貫通して延伸する負荷支持接続要素によって直接的に相互接続されるように、前記一対の吊り上げ形成物を組み込む前記吊り上げ取り付け具を受けるようになっていて、
吊り上げ取り付け具のそれぞれによって連なりの複数の構造用パネルを連結できることで、垂直方向に離間して複数の構造用パネルを同時に吊り上げることができ、
前記構造用パネルは、前記吊り上げ孔の少なくとも１つの近傍に内部補強材またはある密度の強化材をさらに含む、組み立て式の構造建築用パネル。
【請求項２４】
略ね矩形状の角柱形であり、実質的に、補強されたオートクレーブ養生気泡コンクリート（ＡＡＣ）から形成される、請求項２３に記載の組み立て式構造建築用パネル。
【請求項２５】
前記構造用パネルは、対向する長手方向のエッジに相補的または部分的に相補的な側面形状を含み、前記構造用パネルが、同様のパネルと隣接して並べて位置づけられる場合、隣接するエッジ側面形状は、広がっていく略Ｖ字状または略Ｕ字状の溝を間に規定するように組み合わせて適用される、請求項２３または２４に記載の構造用パネル。
【請求項２６】
前記吊り上げ孔の少なくとも１つが、前記構造用パネルがオートクレーブ処理される前に形成される、請求項２５に記載の構造用パネル。
【請求項２７】
前記構造用パネルの密度は、５００ｋｇ／ｍ３から１，０００ｋｇ／ｍ３の範囲のものである、請求項２４または請求項２５に記載の構造用パネル。
【請求項２８】
前記構造用パネルは、前記構造用パネルの重心付近に実質的に均一に分散配置された少なくとも２つの前記吊り上げ孔を含む、請求項２３から２７のいずれか一項に記載の構造用パネル。
【請求項２９】
略垂直支持構造体を規定するように離間して設けられた一連の垂直向き支柱を含む多層建築物の壁部分を設置する方法であって、
複数の組み立て式の構造用パネルを設け、各構造用パネルは、前記構造用パネルの正面から背面に延伸する少なくとも１つの吊り上げ孔を含む、ステップと、
前記構造用パネルのそれぞれに吊り上げ取り付け具を取り外し可能に固定し、前記吊り上げ取り付け具は、少なくとも１つの吊り上げ形成物と、前記それぞれの吊り上げ孔を貫通して延伸する負荷支持接続要素とを有する、固定ステップと、
前記壁部分の目的位置の略上方で実質的に水平向きにレール形成物を前記支持構造体に取り外し可能に取り付けるステップと、
パネル係合機構およびレール横断機構を組み込んだクレーンキャリッジアセンブリを設けるステップと、
前記レール横断機構によって前記レール形成物に前記クレーンキャリッジアセンブリを取り外し可能に取り付けることで、前記キャリッジアセンブリが前記レールを横断するように堅固に適応されるステップと、
前記キャリッジアセンブリの前記パネル係合機構と前記構造用パネルの前記吊り上げ形成物とを取り外し可能に接続することで、前記レール形成物から前記構造用パネルが吊り下げられるステップと、
前記壁部分の目的位置に隣接して前記吊り下げられた構造用パネルを位置合わせするように前記レールに沿って前記キャリッジアセンブリを移動させるステップと、
前記壁部分に前記構造用パネルを位置合わせし固定するステップと、
前記パネル係合機構を取り外すステップと、
次のパネルを連続に並べて配置し、前記建築物の前記壁部分を形成するように、前記ステップを繰り返すステップと、
を含む設置方法。
【請求項３０】
選択的に係合解除可能な吊り上げフレームによって、前記パネル係合機構と前記吊り上げ形成物とを取り外し可能に接続するステップを含み、前記吊り上げフレームは、使用時において、前記関連する吊り上げ孔を貫通して延伸するリフト要素に前記パネルの対向する面に沿って、上側ブリッジ部分から下方向に延伸するようになっている、請求項２９に記載の設置方法。
【請求項３１】
前記構造用パネルは、前記建築物の垂直方向において、少なくとも２階層分にわたるサイズのものであることで、連続に並べて配置された一列のパネルによって形成される前記建築物の前記壁部分が、複数の階層にわたる、請求項２９または３０に記載の設置方法。
【請求項３２】
前記レール形成物は、一連の離間した取り外し可能な接続ブラケットによって取り付けられ、前記接続ブラケットのそれぞれは、使用時において、各々の支柱から前記レール形成物の対応する位置まで延伸する、請求項２９から３１のいずれか一項に記載の設置方法。
【請求項３３】
前記吊り上げ取り付け具は、一体成形吊り上げアイ付きのヘッドを有するアイボルトをさらに含み、前記アイボルトは、前記アイボルトの軸部が、前記構造用パネルの反対側にある相補的なナットと取り外し可能に係合するために前記吊り上げ孔を貫通して延伸するようになっている、請求項２９から３２のいずれか一項に記載の設置方法。
【請求項３４】
前記キャリッジアセンブリの前記パネル係合機構は、前記構造用パネルの前記吊り上げアイと取り外し可能に係合するように適応されたフック形成物で終端するワイヤロープ、ケーブルまたはチェーンを含む、請求項３３に記載の設置方法。
【請求項３５】
前記レール形成物は、水平方向に向けられた上側および下側フランジと、垂直方向に向けられた相互接続ウェブとを備えるＩ型梁の形態のものである、請求項２９に記載の設置方法。
【請求項３６】
前記キャリッジアセンブリは、前記Ｉ型梁の前記下側フランジと転動係合するように適応されたガイドホイールを組み込むレール横断機構を含む、請求項３５に記載の設置方法。
【請求項３７】
前記キャリッジアセンブリは、前記レール上で前記キャリッジを駆動させるように適応された第１の駆動機構と、前記係合機構を介して前記吊り下げられた構造用パネルを徐々に上昇および下降させるようになっている第２の駆動機構とを組み込んで動力化される、請求項３６に記載の設置方法。
【請求項３８】
前記第２の駆動機構は、ウインチに接続され、前記ウインチは、前記構造用パネルに接続されたワイヤロープを制御し、吊り上げ中に前記構造用パネルの高さを調整するようになっている、請求項３７に記載の設置方法。
【請求項３９】
複数の中間リンク要素を用いて、複数の前記構造用パネルを連なりとして取り外し可能に相互接続するステップと、
前記キャリッジの前記パネル係合機構および１つ目の前記構造用パネルの前記吊り上げ形成物によって、前記連なりの前記１つ目の構造用パネルを前記キャリッジアセンブリに接続するステップと、
前記キャリッジの駆動機構によって前記１つ目の構造用パネルを吊り上げ、前記連なりの後続の相互接続されたパネルを最下層のパネルの要求高さまで揚重するステップと、
前記最下層のパネルを位置合わせし、固定し、さらには取り外すステップと、
前記建築物の対応する壁部分または小部分を形成するように駆動機構を用いて、前記連なりの後続のパネルを連続して位置合わせし、固定し、さらには取り外すステップと、
をさらに含む、請求項２９に記載の設置方法。
【請求項４０】
請求項２９に記載の設置方法により建築物に対して組み立て式の構造用壁または床パネルを位置合わせすることを補助すべく、支持レール形成物で使用するために適応されたクレーンキャリッジアセンブリであって、選択された壁または床パネルと取り外し可能に係合することで、前記クレーンキャリッジアセンブリから前記パネルを吊り下げるようになっているパネル係合機構と、構築される壁部分または床部分の目的位置に隣接して前記吊り下げられたパネルを位置合わせするように前記レール形成物に沿って前記クレーンキャリッジアセンブリを移動可能なレール横断機構と、前記レール形成物上で前記キャリッジを移動させるようになっている第１の駆動機構と、使用時において、前記パネル係合機構を介して前記吊り下げられたパネルを徐々に上昇または下降させるように適応された第２の駆動機構と、遠隔操作者によって前記第１および第２の駆動機構を制御可能な遠隔制御機構とをさらに含むクレーンキャリッジアセンブリ。